(57)【要約】【課題】エスカレータのステップの表面だけでなく、裏側も簡単にきれいにすることができる洗浄装置を提供する。【解決手段】洗浄装置６は、支持装置１２、ノズル１９ａ〜１９ｃを備える。支持装置１２は、ステップ１を支持する。ノズル１９ａは、支持装置１２に支持されたステップ１の踏み板２の表面に洗浄液を当てるためのノズルである。ノズル１９ｂは、支持装置１２に支持されたステップ１のライザ３の表面に洗浄液を当てるためのノズルである。ノズル１９ｃは、支持装置１２に支持されたステップ１の踏み板２の裏面及びライザ３の裏面に洗浄液を当てるためのノズルである。【選択図】図４
2016141524.tif 000002
【特許請求の範囲】
【請求項１】
エスカレータで使用されるステップを洗浄する洗浄装置であって、
ステップを支持する支持装置と、
前記支持装置に支持されたステップの踏み板の表面に洗浄液を当てるための第１ノズルと、
前記支持装置に支持されたステップのライザの表面に洗浄液を当てるための第２ノズルと、
前記支持装置に支持されたステップの踏み板の裏面及びライザの裏面に洗浄液を当てるための第３ノズルと、
を備えた洗浄装置。
【請求項２】
前記支持装置に支持されたステップの踏み板の表面に風を当てるための第４ノズルと、
前記支持装置に支持されたステップのライザの表面に風を当てるための第５ノズルと、
前記支持装置に支持されたステップの踏み板の裏面及びライザの裏面に風を当てるための第６ノズルと、
を更に備えた請求項１に記載の洗浄装置。
【請求項３】
前記支持装置に支持されたステップの幅方向及び踏み板のクリート方向に前記第１ノズル及び前記第４ノズルを移動させる第１移動装置と、
前記支持装置に支持されたステップの幅方向及びライザのクリート方向に前記第２ノズル及び前記第５ノズルを移動させる第２移動装置と、
前記支持装置に支持されたステップの幅方向に前記第３ノズル及び前記第６ノズルを移動させる第３移動装置と、
を更に備えた請求項２に記載の洗浄装置。
【請求項４】
前記支持装置は、
ステップの一方の端部を支持する第１支持部と、
ステップの他方の端部を一方の端部より上方で支持する第２支持部と、
を備えた請求項１から請求項３の何れか一項に記載の洗浄装置。
【請求項５】
前記支持装置は、
ステップの一方の端部に回転自在に設けられた第１ローラを支持する第１支持部と、
ステップの他方の端部に回転自在に設けられた第２ローラを支持する第２支持部と、
を備えた請求項１から請求項３の何れか一項に記載の洗浄装置。
【請求項６】
前記第１支持部は、ステップの第１ローラを覆う第１カバーを有し、
前記第２支持部は、ステップの第２ローラを覆う第２カバーを有する
請求項５に記載の洗浄装置。
【発明の詳細な説明】
【技術分野】
【０００１】
この発明は、エスカレータで使用されるステップを洗浄する洗浄装置に関する。
【背景技術】
【０００２】
特許文献１に、エスカレータで使用されるステップを洗浄する洗浄装置が記載されている。特許文献１に記載された洗浄装置は、特有の先端部アタッチメントを備える。先端部アタッチメントのノズルから高圧水を噴射し、ステップの表面に付着した汚れを除去する。
【先行技術文献】
【特許文献】
【０００３】
【特許文献１】登録実用新案第３００９２３８号公報
【発明の概要】
【発明が解決しようとする課題】
【０００４】
ステップは表面だけでなく、裏側もほこり及び油によって汚れている。特許文献１に記載された洗浄装置では、ステップの表面しか清掃することができない。ステップの裏側を清掃する場合は全て手作業で行わなければならず、手間と時間とが掛かるといった問題があった。
【０００５】
この発明は、上述のような課題を解決するためになされた。この発明の目的は、ステップの表面だけでなく、裏側も簡単にきれいにすることができる洗浄装置を提供することである。
【課題を解決するための手段】
【０００６】
この発明に係る洗浄装置は、エスカレータのステップを支持する支持装置と、支持装置に支持されたステップの踏み板の表面に洗浄液を当てるための第１ノズルと、支持装置に支持されたステップのライザの表面に洗浄液を当てるための第２ノズルと、支持装置に支持されたステップの踏み板の裏面及びライザの裏面に洗浄液を当てるための第３ノズルと、を備える。
【発明の効果】
【０００７】
この発明に係る洗浄装置であれば、エスカレータで使用されるステップの表面だけでなく、裏側も簡単にきれいにすることができる。
【図面の簡単な説明】
【０００８】
【図１】エスカレータで使用されるステップを示す斜視図である。
【図２】エスカレータで使用されるステップを示す側面図である。
【図３】この発明の実施の形態１における洗浄装置の外観を示す斜視図である。
【図４】この発明の実施の形態１における洗浄装置の内部の構成例を示す図である。
【図５】この発明の実施の形態１における洗浄装置の構成例を示すブロック図である。
【図６】支持装置によるステップの支持方法の一例を示す図である。
【図７】支持装置の第１支持部を示す斜視図である。
【図８】支持装置によるステップの支持方法の他の例を示す図である。
【図９】この発明の実施の形態１における洗浄装置の動作を示すフローチャートである。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、エスカレータで使用されるステップ１を示す斜視図である。図２は、エスカレータで使用されるステップ１を示す側面図である。先ず、図１及び図２を参照し、ステップ１の構成について説明する。
【００１１】
ステップ１は、例えば踏み板２、ライザ３、ブラケット４並びに従動ローラ５ａ及び５ｂを備える。
【００１２】
踏み板２は、エスカレータの利用者が乗る部分である。利用者は、踏み板２に乗ってエスカレータの上下乗降口間を移動する。踏み板２は、例えば板状を呈する。踏み板２は、表面（上面）にクリートが形成される。踏み板２のクリートは、踏み板２の幅方向と直交する方向に形成される。
【００１３】
ライザ３は、所謂蹴上げに相当する部分である。ライザ３は、例えば緩やかに湾曲する板状を呈する。ライザ３は、表面にクリートが形成される。ライザ３のクリートは、ライザ３の幅方向と直交する方向に形成される。
【００１４】
ブラケット４は、踏み板２及びライザ３を支持する部分である。ブラケット４は、例えば一対の三角形状の支持体を備える。一方の支持体の上面に、踏み板２の一方の端部が固定される。一方の支持体の側面に、ライザ３の一方の端部が固定される。他方の支持体の上面に、踏み板２の他方の端部が固定される。他方の支持体の側面に、ライザ３の他方の端部が固定される。ブラケット４は、踏み板２の裏面に固定される。ブラケット４は、ライザ３の裏面に固定される。
【００１５】
従動ローラ５ａ及び５ｂは、エスカレータの主枠に設けられたレールを転がるローラである。従動ローラ５ａ（第１ローラ）は、ベアリング（図示せず）を介してブラケット４の一方の支持体に設けられる。即ち、従動ローラ５ａは、ステップ１の一方の端部に回転自在に設けられる。従動ローラ５ｂ（第２ローラ）は、ベアリング（図示せず）を介してブラケット４の他方の支持体に設けられる。即ち、従動ローラ５ｂは、ステップ１の他方の端部に回転自在に設けられる。
【００１６】
以下に、図３から図９を参照し、ステップ１を洗浄する洗浄装置６について説明する。図３は、この発明の実施の形態１における洗浄装置６の外観を示す斜視図である。図４は、この発明の実施の形態１における洗浄装置６の内部の構成例を示す図である。図５は、この発明の実施の形態１における洗浄装置６の構成例を示すブロック図である。
【００１７】
洗浄装置６は、ステップ１を丸洗いするための装置である。作業者は、例えばエスカレータの保守を行う際に、汚れたステップ１を取り外して洗浄装置６によって洗浄する。
【００１８】
洗浄装置６は、例えば筐体７、蓋８及び操作パネル９を備える。筐体７の内部に、種々の機器が収納される。筐体７の下部に、車輪１０が回転自在に設けられる。車輪１０が設けられているため、作業者は、洗浄装置６を容易に運搬することができる。例えば、作業者は、エスカレータの保守現場に洗浄装置６を容易に搬入できる。
【００１９】
筐体７に、ステップ１を出し入れするための開口が形成される。筐体７に形成されたこの開口は、蓋８によって塞がれる。開口の向きは、横向きであっても上向きであっても良い。蓋８は、開口の位置及び向きに合わせて適切な開閉方式のものが選択される。蓋８が閉められることにより、筐体７の内部に、ステップ１を洗浄するための密閉された空間が形成される。
【００２０】
操作パネル９は、作業者が入力等を行うための装置である。操作パネル９は、例えば複数の釦を備える。操作パネル９は、表示器等の報知装置を備えても良い。
【００２１】
洗浄装置６は、筐体７の内部に、制御装置１１、支持装置１２、洗浄のための装置、送風のための装置及び廃水のための装置を備える。
【００２２】
制御装置１１は、洗浄装置６の各種動作を制御する。操作パネル９は、制御装置１１に電気的に接続される。例えば、操作パネル９の釦が押されると、押された釦に対応する情報が制御装置１１に入力される。
【００２３】
支持装置１２は、ステップ１を支持するための装置である。ステップ１は、支持装置１２に支持された状態で洗浄される。図６は、支持装置１２によるステップ１の支持方法の一例を示す図である。図６は、ステップ１を下方から支持する例を示す。図６に示す例では、支持装置１２は、第１支持部１３及び第２支持部１４を備える。第１支持部１３は、ステップ１の一方の端部を下方から支持する。第２支持部１４は、ステップ１の他方の端部を下方から支持する。第２支持部１４は、ステップ１の他方の端部を一方の端部より上方で支持する。このため、支持装置１２に支持されたステップ１は、図６に示すように、一方の端部側が他方の端部側より低くなるように斜めに配置される。
【００２４】
図７は、支持装置１２の第１支持部１３を示す斜視図である。上述したように、支持装置１２は、ステップ１を斜めの状態で保持する。このため、第１支持部１３に、支持面１３ａ〜１３ｃが形成される。支持面１３ａは、ステップ１の踏み板２の表面に斜め下方から対向し、接触する。支持面１３ｂは、ステップ１のライザ３の表面に斜め下方から対向し、接触する。支持面１３ｃは、踏み板２の端面及びライザ３の端面に斜め側方から対向し、接触する。第２支持部１４は、少なくとも上記支持面１３ａ及び１３ｂに相当する面を備えていれば良い。
【００２５】
図７に示す第１支持部１３は、ステップ１を面で支持する。他の例として、第１支持部１３は、ステップ１を点に近い状態で支持しても良い。例えば、第１支持部１３に複数の支持ローラを設け、支持ローラをステップ１に接触させても良い。ステップ１のうち第１支持部１３が接触する部分は、洗浄液を直接当てることができない。ステップ１を支持ローラ等によって支持することにより、第１支持部１３がステップ１に接触する面積を低減させることができる。
【００２６】
従動ローラ５ａ及び５ｂは、ベアリングを介してブラケット４に設けられる。このため、ステップ１を洗浄する際に従動ローラ５ａ及び５ｂに洗浄液が掛からないことが望ましい。例えば、従動ローラ５ａ及び５ｂをカバー等で覆うことにより、従動ローラ５ａ及び５ｂに洗浄液が掛かることを防止できる。また、図６に示すように、従動ローラ５ａ及び５ｂがステップ１の最上部に位置するようにステップ１が支持されれば、従動ローラ５ａ及び５ｂに洗浄液が掛かることを更に防止できる。
【００２７】
図８は、支持装置１２によるステップ１の支持方法の他の例を示す図である。図８は、ステップ１を吊り下げた状態で支持する例を示す。図８に示す例では、支持装置１２は、第１支持部１５及び第２支持部１６を備える。第１支持部１５は、ステップ１の従動ローラ５ａを下方から支持する。第２支持部１６は、ステップ１の従動ローラ５ｂを下方から支持する。第２支持部１６は、ステップ１の従動ローラ５ｂを従動ローラ５ａより上方で支持する。このため、支持装置１２に支持されたステップ１は、図８に示すように、一方の端部側が他方の端部側より低くなるように斜めに配置される。
【００２８】
図８に示す支持方法であれば、従動ローラ５ａ及び５ｂが必然的にステップ１の最上部に配置される。また、第１支持部１５は、従動ローラ５ａを覆うカバーを備えても良い。第２支持部１６は、従動ローラ５ｂを覆うカバーを備えても良い。かかる構成であれば、ステップ１を支持装置１２に支持させる際に、従動ローラ５ａ及び５ｂの防水処理を同時に行うことができる。
【００２９】
ステップ１を支持装置１２に支持させる作業を容易にするため、支持装置１２に駆動機構を備えても良い。例えば、支持装置１２は、ステップ１を支持する部分を筐体７の開口に接近及び離隔させるための駆動機構を備える。図６に示す例であれば、支持装置１２に、第１支持部１３及び第２支持部１４を昇降させるための昇降装置を追加する。昇降装置は、制御装置１１に電気的に接続される。制御装置１１は、例えば、操作パネル９から入力された情報に基づいて昇降装置を駆動する。制御装置１１は、蓋８の開閉操作に応じて昇降装置を駆動しても良い。
【００３０】
洗浄のための装置として、例えばタンク１７、ポンプ１８及びノズル１９ａ〜１９ｃが備えられる。
【００３１】
タンク１７に、ステップ１を洗浄するための洗浄液が溜められる。洗浄液は、例えばお湯（熱湯）が好ましい。洗浄液は、洗剤入りの水又はお湯であっても良い。ポンプ１８は、タンク１７に溜められた洗浄液を汲み上げる。ポンプ１８によって汲み上げられた洗浄液は、ノズル１９ａ〜１９ｃから噴射される。ポンプ１８及びノズル１９ａ〜１９ｃは、制御装置１１に電気的に接続される。ポンプ１８の動作は、制御装置１１によって制御される。ノズル１９ａ〜１９ｃの各動作は、制御装置１１によって制御される。
【００３２】
ノズル１９ａ（第１ノズル）は、支持装置１２に支持されたステップ１の踏み板２の表面に洗浄液を当てるためのノズルである。例えば、従動ローラ５ａ及び５ｂがステップ１の最上部に位置するようにステップ１が支持装置１２によって支持されると、踏み板２の表面は斜め下方を向く。ノズル１９ａは、斜め上方に洗浄液を噴射できるようにその向きが設定される。
【００３３】
ノズル１９ａから噴射された洗浄液は、踏み板２の表面全体に掛かることが好ましい。このため、支持装置１２に支持されたステップ１の踏み板２の表面に複数のノズル１９ａを対向させても良い。ノズル１９ａの設置台数を少なくして、ノズル１９ａを可動式にしても良い。ノズル１９ａは１台でも良い。かかる場合、ノズル１９ａを移動させる第１移動装置２０ａが備えられる。第１移動装置２０ａは、支持装置１２に支持されたステップ１の幅方向にノズル１９ａを移動させる。また、第１移動装置２０ａは、踏み板２のクリートが形成されている方向（クリート方向）にノズル１９ａを移動させる。第１移動装置２０ａは、制御装置１１に電気的に接続される。第１移動装置２０ａの動作は、制御装置１１によって制御される。図４に示す矢印Ａは、踏み板２のクリート方向を示す。
【００３４】
ノズル１９ｂ（第２ノズル）は、支持装置１２に支持されたステップ１のライザ３の表面に洗浄液を当てるためのノズルである。例えば、従動ローラ５ａ及び５ｂがステップ１の最上部に位置するようにステップ１が支持装置１２によって支持されると、ライザ３の表面は側方を向く。ノズル１９ｂは、側方に洗浄液を噴射できるようにその向きが設定される。
【００３５】
ノズル１９ｂから噴射された洗浄液は、ライザ３の表面全体に掛かることが好ましい。このため、支持装置１２に支持されたステップ１のライザ３の表面に複数のノズル１９ｂを対向させても良い。ノズル１９ｂの設置台数を少なくして、ノズル１９ｂを可動式にしても良い。ノズル１９ｂは１台でも良い。かかる場合、ノズル１９ｂを移動させる第２移動装置２０ｂが備えられる。第２移動装置２０ｂは、支持装置１２に支持されたステップ１の幅方向にノズル１９ｂを移動させる。また、第１移動装置２０ａは、ライザ３のクリートが形成されている方向（クリート方向）にノズル１９ｂを移動させる。第２移動装置２０ｂは、制御装置１１に電気的に接続される。第２移動装置２０ｂの動作は、制御装置１１によって制御される。図４に示す矢印Ｂは、ライザ３のクリート方向を示す。
【００３６】
ノズル１９ｃ（第３ノズル）は、支持装置１２に支持されたステップ１の踏み板２の裏面及びライザ３の裏面に洗浄液を当てるためのノズルである。例えば、従動ローラ５ａ及び５ｂがステップ１の最上部に位置するようにステップ１が支持装置１２によって支持されると、踏み板２の裏面は斜め上方を向く。また、ライザ３の裏面は側方を向く。ノズル１９ｃは、踏み板２の裏面及びライザ３の裏面の双方に洗浄液を吹き付けることができるようにその向きが設定される。
【００３７】
ノズル１９ｃから噴射された洗浄液は、踏み板２の裏面全体とライザ３の裏面全体とに掛かることが好ましい。このため、支持装置１２に支持されたステップ１の踏み板２の裏面に複数のノズル１９ｃを対向させ、ライザ３の裏面に複数のノズル１９ｃを対向させても良い。ノズル１９ｃの設置台数を少なくして、ノズル１９ｃを可動式にしても良い。ノズル１９ｃは１台でも良い。かかる場合、ノズル１９ｃを移動させる第３移動装置２０ｃが備えられる。第３移動装置２０ｃは、支持装置１２に支持されたステップ１の幅方向にノズル１９ｃを移動させる。また、第３移動装置２０ｃは、踏み板２のクリート方向とライザ３のクリート方向とにノズル１９ｃを移動させる。第３移動装置２０ｃは、制御装置１１に電気的に接続される。第３移動装置２０ｃの動作は、制御装置１１によって制御される。図４に示す矢印Ｃは、ノズル１９ｃの根元部分を中心にノズル１９ｃの先端が円弧を描く方向を示す。ノズル１９ｃの先端を矢印Ｃの方向に移動させることにより、踏み板２の裏面及びライザ３の裏面の双方にノズル１９ｃから洗浄液を吹き付けることができる。
【００３８】
送風のための装置として、例えばブロア２１、ヒータ２２及びノズル２３ａ〜２３ｃが備えられる。
【００３９】
ブロア２１から送られた空気は、ノズル２３ａ〜２３ｃから噴射される。ヒータ２２は、ブロア２１から送られる空気を加熱する。即ち、ヒータ２２が動作していれば、ノズル２３ａ〜２３ｃから高温の空気が噴射される。ヒータ２２が動作していなければ、ノズル２３ａ〜２３ｃから低温の空気が噴射される。ブロア２１、ヒータ２２及びノズル２３ａ〜２３ｃは、制御装置１１に電気的に接続される。ブロア２１及びヒータ２２の各動作は、制御装置１１によって制御される。ノズル２３ａ〜２３ｃの各動作は、制御装置１１によって制御される。
【００４０】
ノズル２３ａ（第４ノズル）は、支持装置１２に支持されたステップ１の踏み板２の表面に風を当てるためのノズルである。例えば、従動ローラ５ａ及び５ｂがステップ１の最上部に位置するようにステップ１が支持装置１２によって支持されると、踏み板２の表面は斜め下方を向く。ノズル２３ａは、斜め上方に向けて風を吹き付けることができるようにその向きが設定される。
【００４１】
ノズル２３ａから噴射された空気は、踏み板２の表面全体に吹き付けられることが好ましい。このため、支持装置１２に支持されたステップ１の踏み板２の表面に複数のノズル２３ａを対向させても良い。ノズル２３ａの設置台数を少なくして、ノズル２３ａを可動式にしても良い。ノズル２３ａは１台でも良い。図４は、第１移動装置２０ａがノズル１９ａとノズル２３ａとの双方を移動させる例を示す。例えば、ノズル２３ａはノズル１９ａと一体的に設けられる。かかる場合、ノズル２３ａはノズル１９ａと一緒に動く。なお、ノズル２３ａを移動させる専用の装置を備えても良い。
【００４２】
ノズル２３ｂ（第５ノズル）は、支持装置１２に支持されたステップ１のライザ３の表面に風を当てるためのノズルである。例えば、従動ローラ５ａ及び５ｂがステップ１の最上部に位置するようにステップ１が支持装置１２によって支持されると、ライザ３の表面は側方を向く。ノズル２３ｂは、側方に向けて風を吹き付けることができるようにその向きが設定される。
【００４３】
ノズル２３ｂから噴射された空気は、ライザ３の表面全体に吹き付けられることが好ましい。このため、支持装置１２に支持されたステップ１のライザ３の表面に複数のノズル２３ｂを対向させても良い。ノズル２３ｂの設置台数を少なくして、ノズル２３ｂを可動式にしても良い。ノズル２３ｂは１台でも良い。図４は、第２移動装置２０ｂがノズル１９ｂとノズル２３ｂとの双方を移動させる例を示す。例えば、ノズル２３ｂはノズル１９ｂと一体的に設けられる。かかる場合、ノズル２３ｂはノズル１９ｂと一緒に動く。なお、ノズル２３ｂを移動させる専用の装置を備えても良い。
【００４４】
ノズル２３ｃ（第６ノズル）は、支持装置１２に支持されたステップ１の踏み板２の裏面及びライザ３の裏面に風を当てるためのノズルである。例えば、従動ローラ５ａ及び５ｂがステップ１の最上部に位置するようにステップ１が支持装置１２によって支持されると、踏み板２の裏面は斜め上方を向く。また、ライザ３の裏面は側方を向く。ノズル２３ｃは、踏み板２の裏面及びライザ３の裏面の双方に向けて風を吹き付けることができるようにその向きが設定される。
【００４５】
ノズル２３ｃから噴射された空気は、踏み板２の裏面全体とライザ３の裏面全体とに吹き付けられることが好ましい。このため、支持装置１２に支持されたステップ１の踏み板２の裏面に複数のノズル２３ｃを対向させ、ライザ３の裏面に複数のノズル２３ｃを対向させても良い。ノズル２３ｃの設置台数を少なくして、ノズル２３ｃを可動式にしても良い。ノズル２３ｃは１台でも良い。図４は、第３移動装置２０ｃがノズル１９ｃとノズル２３ｃとの双方を移動させる例を示す。例えば、ノズル２３ｃはノズル１９ｃと一体的に設けられる。かかる場合、ノズル２３ｃはノズル１９ｃと一緒に動く。なお、ノズル２３ｃを移動させる専用の装置を備えても良い。
【００４６】
廃水のための装置として、例えば廃水タンク２４が備えられる。ノズル１９ａ〜１９ｃから噴射された洗浄液は、廃水タンク２４に回収される。廃水タンク２４に溜められた洗浄液の廃棄を容易にするため、廃水タンク２４を筐体７から容易に取り外すことができるように構成しても良い。また、廃水タンク２４を有する装置を別装置として備えても良い。かかる場合、廃水タンク２４を有する装置は、ステップ１の洗浄を開始する前に排水口に連結される。廃水タンク２４を有する装置に、洗浄液を吸引する機能を備えても良い。
【００４７】
次に、図９を参照し、洗浄装置６の動作について説明する。図９は、この発明の実施の形態１における洗浄装置６の動作を示すフローチャートである。
【００４８】
作業者は、例えばエスカレータの保守を行う際に、洗浄装置６によってステップ１を洗浄する。先ず、作業者は、汚れたステップ１をエスカレータの本体から取り外す。作業者は、取り外したステップ１を支持装置１２に支持させる。支持装置１２が駆動機構を備える場合、制御装置１１は、例えば蓋８が開けられると支持装置１２を駆動させる（Ｓ１）。これにより、ステップ１を載せ易い位置に支持装置１２が配置される。作業者は、ステップ１を支持装置１２に支持させる。制御装置１１は、例えば操作パネル９の特定の釦が押されると、支持装置１２を再び駆動してステップ１を洗浄位置に配置する。
【００４９】
制御装置１１は、操作パネル９の特定の釦が押されると、ステップ１の自動洗浄を開始する。先ず、制御装置１１は、蓋８が閉まっていることが検出されると、ほこりを除去するための処理を開始する（Ｓ２）。例えば、制御装置１１は、ノズル２３ａ〜２３ｃからステップ１に冷風を吹き付けることにより、ステップ１に付着しているほこりを吹き飛ばす。制御装置１１は、冷風がステップ１の全体に吹き付けられるように、ノズル２３ａ〜２３ｃ及び第１〜第３移動装置２０ａ〜２０ｃを制御する。制御装置１１は、冷風の吹き付けを一定時間行うと、ほこりの除去処理を終了する。
【００５０】
次に、制御装置１１は、洗浄液によって洗浄するための処理を開始する（Ｓ３）。例えば、制御装置１１は、ノズル１９ａ〜１９ｃからステップ１に洗浄液を吹き付けることにより、ステップ１に付着している汚れを除去する。制御装置１１は、洗浄液がステップ１の全体に吹き付けられるように、ノズル１９ａ〜１９ｃ及び第１〜第３移動装置２０ａ〜２０ｃを制御する。制御装置１１は、洗浄液の吹き付けを一定時間行うと、洗浄液による洗浄処理を終了する。
【００５１】
次に、制御装置１１は、乾燥処理を開始する（Ｓ４）。例えば、制御装置１１は、ノズル２３ａ〜２３ｃからステップ１に温風を吹き付けることにより、ステップ１を乾燥させる。ノズル２３ａ〜２３ｃからステップ１に冷風を吹き付けてステップ１に付着している水滴を吹き飛ばしてから、ステップ１に温風を吹き付けても良い。制御装置１１は、温風がステップ１の全体に吹き付けられるように、ノズル２３ａ〜２３ｃ及び第１〜第３移動装置２０ａ〜２０ｃを制御する。制御装置１１は、温風の吹き付けを一定時間行うと、乾燥処理を終了する。
【００５２】
制御装置１１は、乾燥処理が終了すると、ステップ１の洗浄が終了したことを報知装置から報知させる。例えば、制御装置１１は、操作パネル９に備えられた表示器に、ステップ１の洗浄が終了したこと表示させる。
【００５３】
作業者がステップ１を取り出すために蓋８を開けると、制御装置１１は、支持装置１２を駆動させる（Ｓ５）。これにより、ステップ１を取り出し易い位置に支持装置１２が配置される。作業者は、ステップ１を取り出す。作業者は、きれいになったステップ１をエスカレータの本体に取り付ける。
【００５４】
上記構成を有する洗浄装置６であれば、ステップ１を丸洗いでき、ステップ１の表面だけでなく、裏側も簡単にきれいにすることができる。ステップ１の洗浄が自動で行われるため、作業者は、ステップ１が洗浄されている間に他の保守作業を行うことができる。このため、エスカレータの保守作業を効率的に行うことも可能となる。
【００５５】
洗浄装置６は、本実施の形態で開示した構成のように送風のための装置を備えていることが好ましい。洗浄後の乾燥機能を備えることにより、ステップ１に備えられているビス等の部品が錆びることを防止できる。洗浄前にビス等の部品にキャップ等をはめて、防水処理を施しても良い。
【００５６】
なお、制御装置１１は、ハードウェア資源として、例えば入出力インターフェースとＣＰＵとメモリとを含む回路を備える。制御装置１１は、メモリに記憶されたプログラムをＣＰＵによって実行することにより、上述した各種動作を実現する。制御装置１１が有する各機能の一部又は全部をハードウェアによって実現しても良い。
【符号の説明】
【００５７】
１  ステップ、  ２  踏み板、  ３  ライザ、  ４  ブラケット、  ５ａ  従動ローラ（第１ローラ）、  ５ｂ  従動ローラ（第２ローラ）、  ６  洗浄装置、  ７  筐体、  ８  蓋、  ９  操作パネル、  １０  車輪、  １１  制御装置、  １２  支持装置、  １３  第１支持部、  １３ａ  支持面、  １３ｂ  支持面、  １３ｃ  支持面、  １４  第２支持部、  １５  第１支持部、  １６  第２支持部、  １７  タンク、  １８  ポンプ、  １９ａ  ノズル（第１ノズル）、  １９ｂ  ノズル（第２ノズル）、  １９ｃ  ノズル（第３ノズル）、  ２０ａ  第１移動装置、  ２０ｂ  第２移動装置、  ２０ｃ  第３移動装置、  ２１  ブロア、  ２２  ヒータ、  ２３ａ  ノズル（第４ノズル）、  ２３ｂ  ノズル（第５ノズル）、  ２３ｃ  ノズル（第６ノズル）、  ２４  廃水タンク
【図１】
2016141524.tif 000003
【図２】
2016141524.tif 000004
【図３】
2016141524.tif 000005
【図４】
2016141524.tif 000006
【図５】
2016141524.tif 000007
【図６】
2016141524.tif 000008
【図７】
2016141524.tif 000009
【図８】
2016141524.tif 000010
【図９】
2016141524.tif 000011